(57)【要約】  上部に設けられ、左右の手を並列に挿入可能な手挿入口と、前記手挿入口から挿入された手に対向する後壁部と、前記手及び前記後壁部に対向する前壁部と、前記後壁部側に、挿入された前記手の略全長に亘って上下方向に延在するように設置され、前記手に向けて斜め下向きに高速空気流を噴出する一対のエアーノズル部と、前記エアーノズル部から噴出され手乾燥処理後の空気を流出させる側方開口部と、を備える手乾燥室を有する。
2010095251.tif 000002
【特許請求の範囲】
【請求項１】
上部に設けられ、左右の手を並列に挿入可能な手挿入口と、  前記手挿入口から挿入された手に対向する後壁部と、  前記手及び前記後壁部に対向する前壁部と、  前記後壁部側に、挿入された前記手の略全長に亘って上下方向に延在するように設置され、前記手に向けて斜め下向きに高速空気流を噴出する一対のエアーノズル部と、  前記エアーノズル部から噴出され手乾燥処理後の空気を流出させる側方開口部と、  を備える手乾燥室を有することを特徴とする手乾燥装置。
【請求項２】
前記一対のエアーノズル部は、挿入された前記手の方向と略平行するように、手挿入口側の間隔が広く、奥側の間隔が狭くなるように配置されていることを特徴とする請求項１に記載の手乾燥装置。
【請求項３】
前記一対のエアーノズル部は、上部が前側に、下部が後側に位置するように前傾して設置されていることを特徴とする請求項１に記載の手乾燥装置。
【請求項４】
前記前壁部の内面は、上部が前側に、下部が後側に位置するように前傾して形成されていることを特徴とする請求項１に記載の手乾燥装置。
【請求項５】
前記前壁部の内面と前記一対のエアーノズル部との距離が、該エアーノズル部の全長に亘って略一定であることを特徴とする請求項１に記載の手乾燥装置。
【請求項６】
前記前壁部の内面と前記一対のエアーノズル部との距離が、上部では小さく、下部では大きいことを特徴とする請求項１に記載の手乾燥装置。
【請求項７】
前記前壁部の内面と前記一対のエアーノズル部との距離が、上部では大きく、下部では小さいことを特徴とする請求項１に記載の手乾燥装置。
【請求項８】
前記前壁部の内面の上部を、後側に屈曲させたことを特徴とする請求項１に記載の手乾燥装置。
【請求項９】
前記前壁部の内面の上部を、前側に屈曲させたことを特徴とする請求項１に記載の手乾燥装置。
【請求項１０】
前記前壁部の内面の水平断面を、凹面としたことを特徴とする請求項１に記載の手乾燥装置。
【請求項１１】
前記前壁部の内面の水平断面を、凸面としたことを特徴とする請求項１に記載の手乾燥装置。
【請求項１２】
前記エアーノズル部が、前記後壁部の内面から突出するように設けられていることを特徴とする請求項１に記載の手乾燥装置。
【請求項１３】
前記エアーノズル部のエアー噴出口が、長孔の列となっていることを特徴とする請求項１に記載の手乾燥装置。
【請求項１４】
前記エアーノズル部のエアー噴出口が、スリット状となっていることを特徴とする請求項１に記載の手乾燥装置。
【請求項１５】
前記エアーノズル部のエアー噴出口が、円孔の列となっていることを特徴とする請求項１に記載の手乾燥装置。
【請求項１６】
前記エアーノズル部のエアー噴出口が、一つのエアーノズル部に複数列設けられていることを特徴とする請求項１に記載の手乾燥装置。
【発明の詳細な説明】
【技術分野】
【０００１】  本発明は、洗浄後の濡れた手を高速空気流の噴射によって衛生的に乾燥処理する手乾燥装置に関するものである。
【背景技術】
【０００２】  従来、洗浄後の濡れた手を、タオルやハンカチで払拭せず、高速空気流の噴射により水分を吹き飛ばして乾燥させる衛生的な手乾燥処理を行う手乾燥装置が開発されている。このような手乾燥装置として、手乾燥室の入口の手前側と奥側に、対向して高速空気流を噴出する２つのエアーノズル部を設け、手の甲側と掌側の双方に風を同時に当て、手から水分を吹き飛ばして乾燥させるものが開示されている（例えば、特許文献１参照）。【０００３】  また、左右の手を並列に挿入可能な手挿入口と、前記手挿入口から並列に挿入された左右の手の甲に対向する後壁部と、前記左右の手の掌及び前記後壁部に対向する前壁部と、前記後壁部及び前壁部の夫々の中央に、並列に挿入された前記左右の手の指の方向と略平行して手の略全長に亘って延在するように設置され、前記左右の手の甲及び掌に略平行となるように夫々左右に高速空気流を噴出する一対のエアーノズル部と、を備える手乾燥室を有する手乾燥装置が開示されている（例えば、特許文献２参照）。【０００４】  また、上部に設けられた手挿入口（開口部）と、後壁部（背面）と、前記後壁部に対向する前壁部と、前記前壁部に上下方向に延在するように設置され、前記後壁部に向けて斜め上向きに高速空気流を噴出する四本の噴出ノズルと、を備える手乾燥室（処理空間）を有する手乾燥装置が開示されている（例えば、特許文献３参照）。【０００５】
【特許文献１】特開２００３−１８０５５４号公報（第２、３頁、図１、９）
【特許文献２】特開２００５−０８７２８３号公報（第６頁、図１〜５）
【特許文献３】特開２００６−１８７３９７号公報（第６、７頁、図４、５）
【発明の開示】
【発明が解決しようとする課題】
【０００６】  しかしながら、上記特許文献１に開示された手乾燥装置は、対向する２つのエアーノズル部から噴出する高速空気流同士が衝突し、空気流に乱れが生じて騒音が発生する、という問題があった。【０００７】  また、上記特許文献２に開示された手乾燥装置は、一対のエアーノズル部が、左右の手の甲及び掌に略平行となるように夫々左右に高速空気流を噴出するので、手に付着した水分が除去されにくく、特に、指と指の間に空気流が通らず、指と指の間に付着した水分は殆んど除去することができない、という問題があった。【０００８】  また、上記特許文献３に開示された手乾燥装置は、高速空気流が前壁部から後壁部に向けて斜め上向きに噴出されるため、高速空気流は、手に対して下側から当たり、手から除去された水滴とともに、上方の開口部から使用者に向かって吹付ける、という問題があった。【０００９】  本発明は、上記に鑑みてなされたものであって、騒音が小さく、指と指の間に付着した水分も除去することができ、使用者への水滴の飛散の少ない手乾燥装置を得ることを目的とする。
【課題を解決するための手段】
【００１０】  上述した課題を解決し、目的を達成するために、本発明は、上部に設けられ、左右の手を並列に挿入可能な手挿入口と、前記手挿入口から挿入された手に対向する後壁部と、前記手及び前記後壁部に対向する前壁部と、前記後壁部側に、挿入された前記手の略全長に亘って上下方向に延在するように設置され、前記手に向けて斜め下向きに高速空気流を噴出する一対のエアーノズル部と、前記エアーノズル部から噴出され手乾燥処理後の空気を流出させる側方開口部と、を備える手乾燥室を有することを特徴とする。
【発明の効果】
【００１１】  本発明にかかる手乾燥装置は、騒音が小さく、指と指の間に付着した水分も除去することができ、使用者への水滴の飛散が少ない、という効果を奏する。
【図面の簡単な説明】
【００１２】
【図１】図１は、本発明にかかる手乾燥装置の実施の形態１を示す側面図である。
【図２】図２は、実施の形態１の手乾燥装置を示す正面図である。
【図３】図３は、実施の形態１の手乾燥装置に手を挿入し捻った様子を示す側面図である。
【図４】図４は、実施の形態１の手乾燥装置のエアーノズル部と挿入された手の相対位置を示す縦断面図である。
【図５】図５は、図１のＡ−Ａ線に沿う横断面図である。
【図６】図６は、実施の形態１の手乾燥装置のエアー噴出口を示す図である。
【図７】図７は、実施の形態１の手乾燥装置のエアー噴出口の変形例を示す図である。
【図８】図８は、実施の形態１の手乾燥装置のエアー噴出口の他の変形例を示す図である。
【図９】図９は、実施の形態１の手乾燥装置のエアー噴出口のさらに他の変形例を示す図である。
【図１０】図１０は、実施の形態１の手乾燥装置のエアーノズル部の変形例を示す側面図である。
【図１１】図１１は、実施の形態２の手乾燥装置を示す横断面図である。
【図１２】図１２は、実施の形態３の手乾燥装置を示す横断面図である。
【図１３】図１３は、実施の形態４の手乾燥装置を示す横断面図である。
【図１４】図１４は、実施の形態５の手乾燥装置を示す側面図である。
【図１５】図１５は、実施の形態６の手乾燥装置を示す側面図である。
【図１６】図１６は、実施の形態７の手乾燥装置を示す側面図である。
【図１７】図１７は、実施の形態８の手乾燥装置を示す側面図である。
【図１８】図１８は、実施の形態３の手乾燥装置の変形例を示す横断面図である。
【符号の説明】
【００１３】  １  本体ケーシング  ２  手乾燥室  ３、３ａ、３ｂ、３ｃ、３ｄ、３ｅ、３ｆ、３ｇ  前壁部  ４  後壁部  ５、５ａ、５ｂ、５ｃ、５ｄ、５ｅ、５ｆ、５ｇ  前壁部の内面  ６  後壁部の内面  ８  底面  ９  手挿入口  １０  側方開口部  １１  高圧空気流発生装置  １２  送風路  １３、１３ａ  エアーノズル部  １４  高速空気流  １５  排水口  １６  排水パイプ  １７  ドレンタンク  １８  制御回路  １９  吸気口  ２０  吸気通路  ２１  吸込口  ２２  手検出センサ  ２４、２４ａ、２４ｂ  エアー噴出口  ２５  フィルター  ８１、８２、８３、８４、８５、８６、８７、８８  手乾燥装置
【発明を実施するための最良の形態】
【００１４】  以下に、本発明にかかる手乾燥装置の実施の形態を図面に基づいて詳細に説明する。なお、この実施の形態によりこの発明が限定されるものではない。【００１５】実施の形態１．  図１は、本発明にかかる手乾燥装置の実施の形態１を示す側面図であり、図２は、実施の形態１の手乾燥装置を示す正面図である。図１及び図２に示すように、実施の形態１の手乾燥装置８１は、本体ケーシング１の上部に手乾燥室２が形成されている。手乾燥装置８１は、本体ケーシング１を洗面室等の壁面にネジ等を用いて固定して使用される。【００１６】  本体ケーシング１の上部前側（使用者側）には、前壁部３が形成され、上部後側には、後壁部４が形成されている。手乾燥室２は、前壁部３の内面５と、後壁部４の内面６と、手から吹飛ばされた水滴を受ける底面８と、により囲まれている。手乾燥室２の上部には、手を出し入れする手挿入口９が形成され、両側方には、手乾燥処理後の空気を流出させる側方開口部１０が形成されている。【００１７】  本体ケーシング１の下部には、高圧空気流発生装置１１が設置されており、高圧空気流発生装置１１により生成された高圧空気流は、後壁部４内に形成された送風路１２を通って後壁部４に設けられたエアーノズル部１３に導かれる。【００１８】  手乾燥室２に挿入される使用者の手は、本体ケーシング１の正面に立った使用者が、自然に左右の手を横に並列に並べた状態で、手首が手前側、指先が奥側（後側）となるように、斜めに手乾燥室２に挿入される。【００１９】  エアーノズル部１３は、手乾燥室２に挿入された左右夫々の手に対向する位置に、後壁部４の内面６から突出するように形成（設置）されている。また、エアーノズル部１３の長手方向が、上下方向に挿入された手の夫々の指の方向と略平行するように延在し、かつ、上部が手前側に、下部が奥側（後側）となるように、５°〜４５°の前傾角度で形成されている。上記の指の方向とは、自然に広げた手の概ね中指の方向である。また、第２の壁部３の内面５は、手乾燥室２への手の挿入が容易なように、かつ、エアーノズル部１３との距離が略一定になるように、前傾角度で形成されている。【００２０】  手乾燥装置８１は、エアーノズル部１３から高速空気流１４（風速：５０ｍ／ｓ〜２５０ｍ／ｓ）を手乾燥室２内に噴射し、手乾燥室２に挿入された左右の手に付着した水分を前壁部３の内面５に向けて吹飛ばし、吹飛ばした水滴を前壁部３の内面５及び底面８で回収し、回収した水滴を排水口１５及び排水パイプ１６を通してドレンタンク１７に溜めるようになっている。ドレンタンク１７は、本体ケーシング１に対して前後にスライドして着脱自在となっており、取外し可能な蓋が被せられている。  【００２１】  高圧空気流発生装置１１は、ＤＣブラシレスモータ（通常の整流子モータ又は誘導モータであってもよい。）と、モータ駆動回路と、ＤＣブラシレスモータに駆動されるターボファンと、を備えて成り、制御回路１８により自動運転される。高圧空気流発生装置１１の吸気口１９は、本体ケーシング１内に設けられた吸気通路２０に臨み、吸気通路２０の下端の吸込口２１から外部の空気を吸込む。吸込口２１から吸込まれたエアーは、フィルター２５により粉塵や��分を除去され、高圧空気流発生装置１１に供給される。【００２２】  後壁部４の内面６には、手検出センサ２２が設けられており、手検出センサ２２の検出信号により、手挿入口９から手乾燥室２に手が挿入されたか否かを検出する。手検出センサ２２の検出信号は、マイクロコンピュータを備える制御回路１８に入力される。制御回路１８は、手が挿入されたと判断すると、高圧空気流発生装置１１に通電してエアーノズル部１３から高速空気流１４を噴出させる。【００２３】  手乾燥装置８１の手挿入口９から手乾燥室２内に、左右の手を並列に、自然な状態で手首付近まで挿入すると、手検出センサ２２により手の挿入が検知され、制御回路１８に制御されて高圧空気流発生装置１１が作動し、エアーノズル部１３から高速空気流１４が手乾燥室２の前側に向けて斜め下方向に噴出される。【００２４】  図３は、実施の形態１の手乾燥装置に手を挿入し捻った様子を示す側面図であり、図４は、実施の形態１の手乾燥装置のエアーノズル部と挿入された手の相対位置を示す縦断面図である。図３及び図４に示すように、手首から先の掌を返すように裏、表と捻ると、エアーノズル部１３から噴出した高速空気流１４が、手全体に当たるとともに指と指の間を通って手の水分を吹飛ばす。【００２５】  図５は、図１のＡ−Ａ線に沿う横断面図である。図５に示すように、手に当たり、指と指の間を通って水滴を吹飛ばした高速空気流１４は、前壁部３の内面５に当たって流れの方向を変え、側方開口部１０から外部へ流出する。このとき、吹飛ばされた水滴は、高速空気流１４が流れの方向を変えるので、慣性力により空気流から離脱し、前壁部３の内面５及び底面８を伝って排水口１５（図２参照）から回収され、排水パイプ１６を通ってドレンタンク１７に貯溜される。【００２６】  前壁部３が使用者の前で高速空気流１４を遮蔽するので、高速空気流１４及び水滴が使用者にかかることはない。手の乾燥処理終了後、手を手乾燥室２から抜くと、手検出センサ２２がこれを検出し、高圧空気流発生装置１１が停止する。【００２７】  次に、エアーノズル部１３について詳細に説明する。手乾燥装置８１の使用時、使用者の手は、本体ケーシング１の正面前方に立った使用者が、自然に両手を横に並列に並べた状態で、手首側が前側に位置し、指先が奥側（後側）に位置するように、斜めに手乾燥室２に挿入される。【００２８】  エアーノズル部１３は、手乾燥室２に挿入された両手の夫々に対向する後壁部４に、上下方向に延在し、上部は前側に、下部は奥側（後側）に位置するように、前傾して配置されている。上記のエアーノズル部１３の配置により、エアーノズル部１３から噴出する高速空気流１４は、上下方向に延在するエアーカーテン状に、手乾燥室２の奥側から手前側へ、斜め下向きに進む流れとなる。【００２９】  高速空気流１４は、夫々の手の手首から指先までの全体に一度に当たるとともに指と指の間にも入るので、手首から先の部分を捻って手の裏表に当てるようにすれば、手の裏表及び指と指の間の水分を吹飛ばすので、手を上下方向に動かさなくても全体を乾燥させることができる【００３０】  また、図３に示すように、エアーノズル部１３は、手乾燥室２に挿入された左右の手夫��に対向する位置に配置されているため、手とエアーノズル部１３との間の距離を小さくすることができる。また、エアーノズル部１３は、後壁部４に上下方向に延在し、上部は手前側に、下部は奥側に位置するように、前傾角度で配置されているため、手とエアーノズル部１３との間の距離は、手首から指先に亘って略一定である。それ故、高速空気流１４は、流速が減衰せずに、大きな運動エネルギーを維持しつつ、手全体に同一の速度で当たり、効率よくむらなく水分を除去する。【００３１】  従来の、高速空気流が前壁部から後壁部に向けて乾燥処理空間に斜め上向きに噴出される手乾燥装置では、エアー噴出口が、乾燥処理空間に対して上向きに開口しているため、乾燥処理空間内の水滴がエアー噴出口から、本体内に侵入する、という問題があった。実施の形態１の手乾燥装置８１では、エアーノズル部１３のエアー噴出口２４が下向きであるので、手乾燥室２内の水滴が、エアー噴出口２４から本体ケーシング１内へ浸入するのを防いでいる。また、エアーノズル部１３は、後壁部４側にのみ設置され、前壁部３にはエアーノズルは設置されていないので、噴出する高速空気流１４同士の衝突は生じず、高速空気流の衝突による騒音が発生しないので、手乾燥装置８１は騒音が小さい。【００３２】  また、高速空気流１４は、斜め下向きに噴射され、重力に沿った方向に水滴を吹飛ばすので、効率的に手の水分を除去することができる。さらに、手の乾燥を行った後の気流も斜め下向きとなり、図３に示すように、手乾燥室２から側方開口部１０の下方へ流れ、手挿入口９からは流出しないため、使用者に風や水滴がかかり難い。【００３３】  また、本体ケーシング１の正面前方に立った使用者が、両手を横に並列に並べて自然に手乾燥室２に挿入すると、左右の手の間隔が略平行となるか、若しくは、図４に示すように、左右の手の間隔が手首側では大きく、指先側で小さくなる。そこで、一対のエアーノズル部１３の横方向の間隔を、手挿入側では大きく、奥側では小さくなるように、一対のエアーノズル部１３がなす角度を、０°〜６０°（一般的な成人では、２０°前後のＶ字状）とする。これにより、左右の手のなす角度と一対のエアーノズル部１３のなす角度が揃い、高速空気流１４が手全体及び指と指の間に当たり、水分除去能力が高い。【００３４】  従来の、対向配置された一対のエアーノズルから高速空気流を噴出する手乾燥装置では、高速空気流が、手の甲側と掌側に同時に当たるので、夫々の空気流が手によって遮られない指と指の間の空間では、対向する空気流が衝突して風速が低下し、指の側面の水分を十分に除去することができないという問題があった。【００３５】  実施の形態１の手乾燥装置８１では、一対のエアーノズル部１３が対向していないので、手のどの部分にも、高速空気流が風速を維持したまま当たる。また、エアーノズル部１３が上下方向に延在しているので、噴出する高速空気流１４は、図５に示すように、指と指の間の隙間に入り込み、指の側面の水分を効率的に除去することができる。【００３６】  次に、エアーノズル部１３のエアー噴出口について詳細に説明する。図６は、実施の形態１の手乾燥装置のエアー噴出口を示す図であり、図７は、エアー噴出��の変形例を示す図であり、図８は、エアー噴出口の他の変形例を示す図であり、図９は、エアー噴出口のさらに他の変形例を示す図であり、図１０は、エアーノズル部の変形例を示す側面図である。【００３７】  図６に示すように、実施の形態１の手乾燥装置のエアーノズル部１３は、長孔のエアー噴出口２４を破線状の列として連続して配置しており、乾燥性能、騒音性能で優れた特性を示す。図７に示すように、エアー噴出口をスリット状のエアー噴出口２４ａにしてもよいし、図８に示すように、円孔のエアー噴出口２４ｂを破線状の列として連続させてもよい。また、図９に示すように、長孔のエアー噴出口２４を破線状の列として連続して複数列配置してもよい。また、エアーノズル部１３は、必ずしも一体に形成する必要はなく、図１０に示すように、複数のエアーノズル部１３ａを破線状の列として連続して配置してもよい。【００３８】  エアー噴出口２４、２４ａ、２４ｂの列の長さは、手の手首から中指の先の長さ以上（実施の形態１では１５０ｍｍ以上）とし、高速空気流が手全体に同時に当たるようにし、効率的に水分を除去する。【００３９】  また、図５に示すように、エアーノズル部１３は、手乾燥室２の後壁部４の内面６から突出するように形成し、手とエアーノズル部１３の距離を小さくするとともに、手挿入口９及び側方開口部１０の面積を大きくするようにしている。それ故、手乾燥室２から流出する水滴を含んだ空気流の風速が小さくなり、手乾燥室２の外部に流出する水滴の量を少なくすることができる。【００４０】  また、エアーノズル部１３が、後壁部４の内面６から突出するように形成されているので、後壁部４により視界を遮られることなく、手乾燥室２の上方から手乾燥室２の内部を目視することができ、手の乾燥度合いの視認が容易である。【００４１】実施の形態２．  図１１は、実施の形態２の手乾燥装置を示す横断面図である。実施の形態１の手乾燥装置８１の前壁部３は、図５に示すように、板状となっているが、図１１に示すように、実施の形態２の手乾燥装置８２の前壁部３ａは、強度を高くするために、内面５ａを有する中空ボックス構造となっている。【００４２】実施の形態３．  図１２は、実施の形態３の手乾燥装置を示す横断面図である。実施の形態１及び２の前壁部３、３ａの内面５、５ａは平面状であるが、図１２に示すように、実施の形態３の手乾燥装置８３の前壁部３ｂの内面５ｂは、水平断面が凹面となっている。実施の形態３の凹内面５ｂは、手に当たり水滴を含んだ空気流を、側方開口部１０から後壁部４側へ向けて流出させるので、使用者に空気流や水滴が当たるのを更に低減することができる。図１８は、実施の形態３の手乾燥装置の変形例を示す横断面図である。実施の形態３の手乾燥装置８３の前壁部３ｂの内面５ｂは、水平断面が凹面となっているが、図１８に示すように、前壁部３ｂの両側部を、後壁部４側へ略直角に屈曲させるようにしても、凹面と同様の効果を得ることができる。さらにまた、屈曲部により、内面５ｂに付着した水滴が側方開口部１０から外部へ飛散するのを防ぐことができる。【００４３】実施の形態４．  図１３は、実施の形態４の手乾燥装置を示す横断面図である。図１３に示すように、実施の形態４の手乾燥装置８４の前壁部３ｃの内面５ｃは、凸面となっている。実施の形態４の凸内面５ｃは、手に当たり水滴を含んだ空気流を、側方開口部１０から前方側へ向けて流出させるので、手乾燥装置８４が設置された壁面に水滴を飛散させて壁面を汚すのを防ぐことができる。【００４４】実施の形態５．  図１４は、実施の形態５の手乾燥装置を示す側面図である。図１４に示すように、実施の形態５の手乾燥装置８５の前壁部３ｄの内面５ｄは、その上部を後側（後壁部４側）に屈曲させている。実施の形態５の上部が後側に屈曲した内面５ｄは、手乾燥室２の手挿入口９から上方へ流出する空気の流れを、使用者から遠ざける方向に向け、使用者に流出空気や水滴がかかるのを防止する。【００４５】実施の形態６．  図１５は、実施の形態６の手乾燥装置を示す側面図である。図１５に示すように、実施の形態６の手乾燥装置８６の前壁部３ｅの内面５ｅは、その上部を前側（使用者側）に屈曲させている。実施の形態６の上部が前側に屈曲した内面５ｅは、手乾燥室２の手挿入口９を大きくし、使用者が手乾燥室２に手を挿入し易くなり、使い勝手が向上する。【００４６】実施の形態７．  図１６は、実施の形態７の手乾燥装置を示す側面図である。実施の形態１〜６の手乾燥装置では、手の挿入のし易さと使用者への水滴の飛散の防止とを両立させるために、前壁部の内面を、エアーノズル部１３と略平行にし、前傾させている。図１６に示すように、実施の形態７の手乾燥装置８７は、前壁部３ｆの内面５ｆの前傾角を、エアーノズル部１３の前傾角よりも小さくし、前壁部３ｆの内面５ｆとエアーノズル部１３との距離が、上部では小さく、下部では大きくしている。手に当たり水滴を含んだ気流は、実施の形態７の前壁部３ｆの内面５ｆに対して、斜め下向きに当たるので、手挿入口９から流出する空気流を抑制することができ、使用者に流出空気や水滴がかかるのを防止することができる。【００４７】実施の形態８．  図１７は、実施の形態８の手乾燥装置を示す側面図である。図１７に示すように、実施の形態８の手乾燥装置８８は、前壁部３ｇの内面５ｇの前傾角を、エアーノズル部１３の前傾角よりも大きくし、前壁部３ｇの内面５ｇとエアーノズル部１３との距離が、上部では大きく、下部では小さくなっている。実施の形態８の手乾燥装置８８は、手乾燥室２の手挿入口９の間口が広くなり、使用者が手乾燥室２に手を挿入し易くなり、使い勝手が向上する。
【産業上の利用可能性】
【００４８】  以上のように、本発明にかかる手乾燥装置は、洗浄後の濡れた手を高速空気流の噴射によって衛生的に乾燥処理する手乾燥装置に有用である。
【図１】
2010095251.tif 000003
【図２】
2010095251.tif 000004
【図３】
2010095251.tif 000005
【図４】
2010095251.tif 000006
【図５】
2010095251.tif 000007
【図６】
2010095251.tif 000008
【図７】
2010095251.tif 000009
【図８】
2010095251.tif 000010
【図９】
2010095251.tif 000011
【図１０】
2010095251.tif 000012
【図１１】
2010095251.tif 000013
【図１２】
2010095251.tif 000014
【図１３】
2010095251.tif 000015
【図１４】
2010095251.tif 000016
【図１５】
2010095251.tif 000017
【図１６】
2010095251.tif 000018
【図１７】
2010095251.tif 000019
【図１８】
2010095251.tif 000020
【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
手を挿入する手挿入口と、
前記手挿入口から挿入された手に対向する第１の壁部と、
前記手及び前記第１の壁部に対向する第２の壁部と、
前記第１の壁部又は第２の壁部のいずれか一側に、前記手挿入口から奥側への方向に延びて高速空気を噴出する複数のエアーノズル部と、を備える手乾燥室を有し、
前記エアーノズル部と対向する前記第１の壁部又は前記第２の壁部と前記エアーノズル部との距離が、上部では大きく、下部では小さいことを特徴とする手乾燥装置。
【請求項２】
手を挿入する手挿入口と、
前記手挿入口から挿入された手に対向する第１の壁部と、
前記手及び前記第１の壁部に対向する第２の壁部と、
前記第１の壁部又は第２の壁部のいずれか一側に、前記手挿入口から奥側への方向に延びて高速空気を噴出する複数のエアーノズル部とを備える手乾燥室を有し、
前記エアーノズル部と対向する前記第１の壁部又は前記第２の壁部と前記エアーノズル部との距離が、上部では小さく、下部では大きいことを特徴とする手乾燥装置。
【請求項３】
前記エアーノズル部は、複数のエアー噴出口が前記手挿入口から奥側への方向に並んで構成されていることを特徴とする請求項１又は２に記載の手乾燥装置。
【請求項４】
前記エアーノズル部の互いの左右方向の間隔が、手挿入口側が広く、奥側が狭くなるように設けられていることを特徴とする請求項１又は２に記載の手乾燥装置。
【請求項５】
前記手挿入口は、前記手乾燥室の上部に設けられ、前記第１の壁部は、前記手乾燥室の後部に設けられ、前記第２の壁部は、前記手乾燥室の前部に設けられ、前記エアーノズル部は、前記第１の壁部に設けられていることを特徴とする請求項１又は２に記載の手乾燥装置。
【請求項６】
前記第２の壁部の内面は、上部が前側に、下部が後側に位置するように前傾して形成されていることを特徴とする請求項５に記載の手乾燥装置。
【請求項７】
前記第２の壁部の内面の上部を、後側に屈曲させたことを特徴とする請求項５に記載の手乾燥装置。
【請求項８】
前記第２の壁部の内面の上部を、前側に屈曲させたことを特徴とする請求項５に記載の手乾燥装置。
【請求項９】
前記エアーノズル部は、上部が前側に、下部が後側に位置するように前傾して設置されていることを特徴とする請求項１又は２に記載の手乾燥装置。
【請求項１０】
前記エアーノズル部は、高速空気流を斜め下方に向けて噴出することを特徴とする請求項１又は２に記載の手乾燥装置。
【請求項１１】
前記第１の壁部又は前記第２の壁部のいずれかで、前記エアーノズルに対向する壁の内面の水平断面を、凹面としたことを特徴とする請求項１又は２に記載の手乾燥装置。
【請求項１２】
前記第１の壁部又は前記第２の壁部のいずれかで、前記エアーノズルに対向する壁の内面の水平断面を、凸面としたことを特徴とする請求項１又は２に記載の手乾燥装置。
【手続補正２】
【補正対象書類名】明細書
【補正対象項目名】全文
【補正方法】変更
【補正の内容】
【発明の詳細な説明】
【技術分野】
【０００１】
本発明は、洗浄後の濡れた手を高速空気流の噴射によって衛生的に乾燥処理する手乾燥装置に関するものである。
【背景技術】
【０００２】
従来、洗浄後の濡れた手を、タオルやハンカチで払拭せず、高速空気流の噴射により水分を吹き飛ばして乾燥させる衛生的な手乾燥処理を行う手乾燥装置が開発されている。このような手乾燥装置として、手乾燥室の入口の手前側と奥側に、対向して高速空気流を噴出する２つのエアーノズル部を設け、手の甲側と掌側の双方に風を同時に当て、手から水分を吹き飛ばして乾燥させるものが開示されている（例えば、特許文献１参照）。
【０００３】
また、左右の手を並列に挿入可能な手挿入口と、前記手挿入口から並列に挿入された左右の手の甲に対向する後壁部と、前記左右の手の掌及び前記後壁部に対向する前壁部と、前記後壁部及び前壁部の夫々の中央に、並列に挿入された前記左右の手の指の方向と略平行して手の略全長に亘って延在するように設置され、前記左右の手の甲及び掌に略平行となるように夫々左右に高速空気流を噴出する一対のエアーノズル部と、を備える手乾燥室を有する手乾燥装置が開示されている（例えば、特許文献２参照）。
【０００４】
また、上部に設けられた手挿入口（開口部）と、後壁部（背面）と、前記後壁部に対向する前壁部と、前記前壁部に上下方向に延在するように設置され、前記後壁部に向けて斜め上向きに高速空気流を噴出する四本の噴出ノズルと、を備える手乾燥室（処理空間）を有する手乾燥装置が開示されている（例えば、特許文献３参照）。
【先行技術文献】
【特許文献】
【０００５】
【特許文献１】特開２００３−１８０５５４号公報（第２、３頁、図１、９）
【特許文献２】特開２００５−０８７２８３号公報（第６頁、図１〜５）
【特許文献３】特開２００６−１８７３９７号公報（第６、７頁、図４、５）
【発明の開示】
【発明が解決しようとする課題】
【０００６】
しかしながら、上記特許文献１に開示された手乾燥装置は、対向する２つのエアーノズル部から噴出する高速空気流同士が衝突し、空気流に乱れが生じて騒音が発生する、という問題があった。
【０００７】
また、上記特許文献２に開示された手乾燥装置は、一対のエアーノズル部が、左右の手の甲及び掌に略平行となるように夫々左右に高速空気流を噴出するので、手に付着した水分が除去されにくく、特に、指と指の間に空気流が通らず、指と指の間に付着した水分は殆んど除去することができない、という問題があった。
【０００８】
また、上記特許文献３に開示された手乾燥装置は、高速空気流が前壁部から後壁部に向けて斜め上向きに噴出されるため、高速空気流は、手に対して下側から当たり、手から除去された水滴とともに、上方の開口部から使用者に向かって吹付ける、という問題があった。
【０００９】
本発明は、上記に鑑みてなされたものであって、騒音が小さく、指と指の間に付着した水分も除去することができ、使用者への水滴の飛散の少ない手乾燥装置を得ることを目的とする。
【課題を解決するための手段】
【００１０】
上述した課題を解決し、目的を達成するために、本発明は、手を挿入する手挿入口と、前記手挿入口から挿入された手に対向する第１の壁部と、前記手及び前記第１の壁部に対向する第２の壁部と、前記第１の壁部又は第２の壁部のいずれか一側に、前記手挿入口から奥側への方向に延びて高速空気を噴出する複数のエアーノズル部と、を備える手乾燥室を有し、前記エアーノズル部と対向する前記第１の壁部又は前記第２の壁部と前記エアーノズル部との距離が、上部では大きく、下部では小さいことを特徴とする。
【発明の効果】
【００１１】
本発明にかかる手乾燥装置は、騒音が小さく、指と指の間に付着した水分も除去することができ、使用者への水滴の飛散が少ない、という効果を奏する。
【図面の簡単な説明】
【００１２】
【図１】図１は、本発明にかかる手乾燥装置の実施の形態１を示す側面図である。
【図２】図２は、実施の形態１の手乾燥装置を示す正面図である。
【図３】図３は、実施の形態１の手乾燥装置に手を挿入し捻った様子を示す側面図である。
【図４】図４は、実施の形態１の手乾燥装置のエアーノズル部と挿入された手の相対位置を示す縦断面図である。
【図５】図５は、図１のＡ−Ａ線に沿う横断面図である。
【図６】図６は、実施の形態１の手乾燥装置のエアー噴出口を示す図である。
【図７】図７は、実施の形態１の手乾燥装置のエアー噴出口の変形例を示す図である。
【図８】図８は、実施の形態１の手乾燥装置のエアー噴出口の他の変形例を示す図である。
【図９】図９は、実施の形態１の手乾燥装置のエアー噴出口のさらに他の変形例を示す図である。
【図１０】図１０は、実施の形態１の手乾燥装置のエアーノズル部の変形例を示す側面図である。
【図１１】図１１は、実施の形態２の手乾燥装置を示す横断面図である。
【図１２】図１２は、実施の形態３の手乾燥装置を示す横断面図である。
【図１３】図１３は、実施の形態４の手乾燥装置を示す横断面図である。
【図１４】図１４は、実施の形態５の手乾燥装置を示す側面図である。
【図１５】図１５は、実施の形態６の手乾燥装置を示す側面図である。
【図１６】図１６は、実施の形態７の手乾燥装置を示す側面図である。
【図１７】図１７は、実施の形態８の手乾燥装置を示す側面図である。
【図１８】図１８は、実施の形態３の手乾燥装置の変形例を示す横断面図である。
【発明を実施するための形態】
【００１３】
以下に、本発明にかかる手乾燥装置の実施の形態を図面に基づいて詳細に説明する。なお、この実施の形態によりこの発明が限定されるものではない。
【００１４】
実施の形態１．
図１は、本発明にかかる手乾燥装置の実施の形態１を示す側面図であり、図２は、実施の形態１の手乾燥装置を示す正面図である。図１及び図２に示すように、実施の形態１の手乾燥装置８１は、本体ケーシング１の上部に手乾燥室２が形成されている。手乾燥装置８１は、本体ケーシング１を洗面室等の壁面にネジ等を用いて固定して使用される。
【００１５】
本体ケーシング１の上部前側（使用者側）には、前壁部３が形成され、上部後側には、後壁部４が形成されている。手乾燥室２は、前壁部３の内面５と、後壁部４の内面６と、手から吹飛ばされた水滴を受ける底面８と、により囲まれている。手乾燥室２の上部には、手を出し入れする手挿入口９が形成され、両側方には、手乾燥処理後の空気を流出させる側方開口部１０が形成されている。
【００１６】
本体ケーシング１の下部には、高圧空気流発生装置１１が設置されており、高圧空気流発生装置１１により生成された高圧空気流は、後壁部４内に形成された送風路１２を通って後壁部４に設けられたエアーノズル部１３に導かれる。
【００１７】
手乾燥室２に挿入される使用者の手は、本体ケーシング１の正面に立った使用者が、自然に左右の手を横に並列に並べた状態で、手首が手前側、指先が奥側（後側）となるように、斜めに手乾燥室２に挿入される。
【００１８】
エアーノズル部１３は、手乾燥室２に挿入された左右夫々の手に対向する位置に、後壁部４の内面６から突出するように形成（設置）されている。また、エアーノズル部１３の長手方向が、上下方向に挿入された手の夫々の指の方向と略平行するように延在し、かつ、上部が手前側に、下部が奥側（後側）となるように、５°〜４５°の前傾角度で形成されている。上記の指の方向とは、自然に広げた手の概ね中指の方向である。また、第２の壁部３の内面５は、手乾燥室２への手の挿入が容易なように、かつ、エアーノズル部１３との距離が略一定になるように、前傾角度で形成されている。
【００１９】
手乾燥装置８１は、エアーノズル部１３から高速空気流１４（風速：５０ｍ／ｓ〜２５０ｍ／ｓ）を手乾燥室２内に噴射し、手乾燥室２に挿入された左右の手に付着した水分を前壁部３の内面５に向けて吹飛ばし、吹飛ばした水滴を前壁部３の内面５及び底面８で回収し、回収した水滴を排水口１５及び排水パイプ１６を通してドレンタンク１７に溜めるようになっている。ドレンタンク１７は、本体ケーシング１に対して前後にスライドして着脱自在となっており、取外し可能な蓋が被せられている。  
【００２０】
高圧空気流発生装置１１は、ＤＣブラシレスモータ（通常の整流子モータ又は誘導モータであってもよい。）と、モータ駆動回路と、ＤＣブラシレスモータに駆動されるターボファンと、を備えて成り、制御回路１８により自動運転される。高圧空気流発生装置１１の吸気口１９は、本体ケーシング１内に設けられた吸気通路２０に臨み、吸気通路２０の下端の吸込口２１から外部の空気を吸込む。吸込口２１から吸込まれたエアーは、フィルター２５により粉塵や水分を除去され、高圧空気流発生装置１１に供給される。
【００２１】
後壁部４の内面６には、手検出センサ２２が設けられており、手検出センサ２２の検出信号により、手挿入口９から手乾燥室２に手が挿入されたか否かを検出する。手検出センサ２２の検出信号は、マイクロコンピュータを備える制御回路１８に入力される。制御回路１８は、手が挿入されたと判断すると、高圧空気流発生装置１１に通電してエアーノズル部１３から高速空気流１４を噴出させる。
【００２２】
手乾燥装置８１の手挿入口９から手乾燥室２内に、左右の手を並列に、自然な状態で手首付近まで挿入すると、手検出センサ２２により手の挿入が検知され、制御回路１８に制御されて高圧空気流発生装置１１が作動し、エアーノズル部１３から高速空気流１４が手乾燥室２の前側に向けて斜め下方向に噴出される。
【００２３】
図３は、実施の形態１の手乾燥装置に手を挿入し捻った様子を示す側面図であり、図４は、実施の形態１の手乾燥装置のエアーノズル部と挿入された手の相対位置を示す縦断面図である。図３及び図４に示すように、手首から先の掌を返すように裏、表と捻ると、エアーノズル部１３から噴出した高速空気流１４が、手全体に当たるとともに指と指の間を通って手の水分を吹飛ばす。
【００２４】
図５は、図１のＡ−Ａ線に沿う横断面図である。図５に示すように、手に当たり、指と指の間を通って水滴を吹飛ばした高速空気流１４は、前壁部３の内面５に当たって流れの方向を変え、側方開口部１０から外部へ流出する。このとき、吹飛ばされた水滴は、高速空気流１４が流れの方向を変えるので、慣性力により空気流から離脱し、前壁部３の内面５及び底面８を伝って排水口１５（図２参照）から回収され、排水パイプ１６を通ってドレンタンク１７に貯溜される。
【００２５】
前壁部３が使用者の前で高速空気流１４を遮蔽するので、高速空気流１４及び水滴が使用者にかかることはない。手の乾燥処理終了後、手を手乾燥室２から抜くと、手検出センサ２２がこれを検出し、高圧空気流発生装置１１が停止する。
【００２６】
次に、エアーノズル部１３について詳細に説明する。手乾燥装置８１の使用時、使用者の手は、本体ケーシング１の正面前方に立った使用者が、自然に両手を横に並列に並べた状態で、手首側が前側に位置し、指先が奥側（後側）に位置するように、斜めに手乾燥室２に挿入される。
【００２７】
エアーノズル部１３は、手乾燥室２に挿入された両手の夫々に対向する後壁部４に、上下方向に延在し、上部は前側に、下部は奥側（後側）に位置するように、前傾して配置されている。上記のエアーノズル部１３の配置により、エアーノズル部１３から噴出する高速空気流１４は、上下方向に延在するエアーカーテン状に、手乾燥室２の奥側から手前側へ、斜め下向きに進む流れとなる。
【００２８】
高速空気流１４は、夫々の手の手首から指先までの全体に一度に当たるとともに指と指の間にも入るので、手首から先の部分を捻って手の裏表に当てるようにすれば、手の裏表及び指と指の間の水分を吹飛ばすので、手を上下方向に動かさなくても全体を乾燥させることができる。
【００２９】
また、図３に示すように、エアーノズル部１３は、手乾燥室２に挿入された左右の手夫々に対向する位置に配置されているため、手とエアーノズル部１３との間の距離を小さくすることができる。また、エアーノズル部１３は、後壁部４に上下方向に延在し、上部は手前側に、下部は奥側に位置するように、前傾角度で配置されているため、手とエアーノズル部１３との間の距離は、手首から指先に亘って略一定である。それ故、高速空気流１４は、流速が減衰せずに、大きな運動エネルギーを維持しつつ、手全体に同一の速度で当たり、効率よくむらなく水分を除去する。
【００３０】
従来の、高速空気流が前壁部から後壁部に向けて乾燥処理空間に斜め上向きに噴出される手乾燥装置では、エアー噴出口が、乾燥処理空間に対して上向きに開口しているため、乾燥処理空間内の水滴がエアー噴出口から、本体内に侵入する、という問題があった。実施の形態１の手乾燥装置８１では、エアーノズル部１３のエアー噴出口２４が下向きであるので、手乾燥室２内の水滴が、エアー噴出口２４から本体ケーシング１内へ浸入するのを防いでいる。また、エアーノズル部１３は、後壁部４側にのみ設置され、前壁部３にはエアーノズルは設置されていないので、噴出する高速空気流１４同士の衝突は生じず、高速空気流の衝突による騒音が発生しないので、手乾燥装置８１は騒音が小さい。
【００３１】
また、高速空気流１４は、斜め下向きに噴射され、重力に沿った方向に水滴を吹飛ばすので、効率的に手の水分を除去することができる。さらに、手の乾燥を行った後の気流も斜め下向きとなり、図３に示すように、手乾燥室２から側方開口部１０の下方へ流れ、手挿入口９からは流出しないため、使用者に風や水滴がかかり難い。
【００３２】
また、本体ケーシング１の正面前方に立った使用者が、両手を横に並列に並べて自然に手乾燥室２に挿入すると、左右の手の間隔が略平行となるか、若しくは、図４に示すように、左右の手の間隔が手首側では大きく、指先側で小さくなる。そこで、一対のエアーノズル部１３の横方向の間隔を、手挿入側では大きく、奥側では小さくなるように、一対のエアーノズル部１３がなす角度を、０°〜６０°（一般的な成人では、２０°前後のＶ字状）とする。これにより、左右の手のなす角度と一対のエアーノズル部１３のなす角度が揃い、高速空気流１４が手全体及び指と指の間に当たり、水分除去能力が高い。
【００３３】
従来の、対向配置された一対のエアーノズルから高速空気流を噴出する手乾燥装置では、高速空気流が、手の甲側と掌側に同時に当たるので、夫々の空気流が手によって遮られない指と指の間の空間では、対向する空気流が衝突して風速が低下し、指の側面の水分を十分に除去することができないという問題があった。
【００３４】
実施の形態１の手乾燥装置８１では、一対のエアーノズル部１３が対向していないので、手のどの部分にも、高速空気流が風速を維持したまま当たる。また、エアーノズル部１３が上下方向に延在しているので、噴出する高速空気流１４は、図５に示すように、指と指の間の隙間に入り込み、指の側面の水分を効率的に除去することができる。
【００３５】
次に、エアーノズル部１３のエアー噴出口について詳細に説明する。図６は、実施の形態１の手乾燥装置のエアー噴出口を示す図であり、図７は、エアー噴出口の変形例を示す図であり、図８は、エアー噴出口の他の変形例を示す図であり、図９は、エアー噴出口のさらに他の変形例を示す図であり、図１０は、エアーノズル部の変形例を示す側面図である。
【００３６】
図６に示すように、実施の形態１の手乾燥装置のエアーノズル部１３は、長孔のエアー噴出口２４を破線状の列として連続して配置しており、乾燥性能、騒音性能で優れた特性を示す。図７に示すように、エアー噴出口をスリット状のエアー噴出口２４ａにしてもよいし、図８に示すように、円孔のエアー噴出口２４ｂを破線状の列として連続させてもよい。また、図９に示すように、長孔のエアー噴出口２４を破線状の列として連続して複数列配置してもよい。また、エアーノズル部１３は、必ずしも一体に形成する必要はなく、図１０に示すように、複数のエアーノズル部１３ａを破線状の列として連続して配置してもよい。
【００３７】
エアー噴出口２４、２４ａ、２４ｂの列の長さは、手の手首から中指の先の長さ以上（実施の形態１では１５０ｍｍ以上）とし、高速空気流が手全体に同時に当たるようにし、効率的に水分を除去する。
【００３８】
また、図５に示すように、エアーノズル部１３は、手乾燥室２の後壁部４の内面６から突出するように形成し、手とエアーノズル部１３の距離を小さくするとともに、手挿入口９及び側方開口部１０の面積を大きくするようにしている。それ故、手乾燥室２から流出する水滴を含んだ空気流の風速が小さくなり、手乾燥室２の外部に流出する水滴の量を少なくすることができる。
【００３９】
また、エアーノズル部１３が、後壁部４の内面６から突出するように形成されているので、後壁部４により視界を遮られることなく、手乾燥室２の上方から手乾燥室２の内部を目視することができ、手の乾燥度合いの視認が容易である。
【００４０】
実施の形態２．
図１１は、実施の形態２の手乾燥装置を示す横断面図である。実施の形態１の手乾燥装置８１の前壁部３は、図５に示すように、板状となっているが、図１１に示すように、実施の形態２の手乾燥装置８２の前壁部３ａは、強度を高くするために、内面５ａを有する中空ボックス構造となっている。
【００４１】
実施の形態３．
図１２は、実施の形態３の手乾燥装置を示す横断面図である。実施の形態１及び２の前壁部３、３ａの内面５、５ａは平面状であるが、図１２に示すように、実施の形態３の手乾燥装置８３の前壁部３ｂの内面５ｂは、水平断面が凹面となっている。実施の形態３の凹内面５ｂは、手に当たり水滴を含んだ空気流を、側方開口部１０から後壁部４側へ向けて流出させるので、使用者に空気流や水滴が当たるのを更に低減することができる。図１８は、実施の形態３の手乾燥装置の変形例を示す横断面図である。実施の形態３の手乾燥装置８３の前壁部３ｂの内面５ｂは、水平断面が凹面となっているが、図１８に示すように、前壁部３ｂの両側部を、後壁部４側へ略直角に屈曲させるようにしても、凹面と同様の効果を得ることができる。さらにまた、屈曲部により、内面５ｂに付着した水滴が側方開口部１０から外部へ飛散するのを防ぐことができる。
【００４２】
実施の形態４．
図１３は、実施の形態４の手乾燥装置を示す横断面図である。図１３に示すように、実施の形態４の手乾燥装置８４の前壁部３ｃの内面５ｃは、凸面となっている。実施の形態４の凸内面５ｃは、手に当たり水滴を含んだ空気流を、側方開口部１０から前方側へ向けて流出させるので、手乾燥装置８４が設置された壁面に水滴を飛散させて壁面を汚すのを防ぐことができる。
【００４３】
実施の形態５．
図１４は、実施の形態５の手乾燥装置を示す側面図である。図１４に示すように、実施の形態５の手乾燥装置８５の前壁部３ｄの内面５ｄは、その上部を後側（後壁部４側）に屈曲させている。実施の形態５の上部が後側に屈曲した内面５ｄは、手乾燥室２の手挿入口９から上方へ流出する空気の流れを、使用者から遠ざける方向に向け、使用者に流出空気や水滴がかかるのを防止する。
【００４４】
実施の形態６．
図１５は、実施の形態６の手乾燥装置を示す側面図である。図１５に示すように、実施の形態６の手乾燥装置８６の前壁部３ｅの内面５ｅは、その上部を前側（使用者側）に屈曲させている。実施の形態６の上部が前側に屈曲した内面５ｅは、手乾燥室２の手挿入口９を大きくし、使用者が手乾燥室２に手を挿入し易くなり、使い勝手が向上する。
【００４５】
実施の形態７．
図１６は、実施の形態７の手乾燥装置を示す側面図である。実施の形態１〜６の手乾燥装置では、手の挿入のし易さと使用者への水滴の飛散の防止とを両立させるために、前壁部の内面を、エアーノズル部１３と略平行にし、前傾させている。図１６に示すように、実施の形態７の手乾燥装置８７は、前壁部３ｆの内面５ｆの前傾角を、エアーノズル部１３の前傾角よりも小さくし、前壁部３ｆの内面５ｆとエアーノズル部１３との距離が、上部では小さく、下部では大きくしている。手に当たり水滴を含んだ気流は、実施の形態７の前壁部３ｆの内面５ｆに対して、斜め下向きに当たるので、手挿入口９から流出する空気流を抑制することができ、使用者に流出空気や水滴がかかるのを防止することができる。
【００４６】
実施の形態８．
図１７は、実施の形態８の手乾燥装置を示す側面図である。図１７に示すように、実施の形態８の手乾燥装置８８は、前壁部３ｇの内面５ｇの前傾角を、エアーノズル部１３の前傾角よりも大きくし、前壁部３ｇの内面５ｇとエアーノズル部１３との距離が、上部では大きく、下部では小さくなっている。実施の形態８の手乾燥装置８８は、手乾燥室２の手挿入口９の間口が広くなり、使用者が手乾燥室２に手を挿入し易くなり、使い勝手が向上する。
【産業上の利用可能性】
【００４７】
以上のように、本発明にかかる手乾燥装置は、洗浄後の濡れた手を高速空気流の噴射によって衛生的に乾燥処理する手乾燥装置に有用である。
【符号の説明】
【００４８】
１  本体ケーシング
２  手乾燥室
３、３ａ、３ｂ、３ｃ、３ｄ、３ｅ、３ｆ、３ｇ  前壁部
４  後壁部
５、５ａ、５ｂ、５ｃ、５ｄ、５ｅ、５ｆ、５ｇ  前壁部の内面
６  後壁部の内面
８  底面
９  手挿入口
１０  側方開口部
１１  高圧空気流発生装置
１２  送風路
１３、１３ａ  エアーノズル部
１４  高速空気流
１５  排水口
１６  排水パイプ
１７  ドレンタンク
１８  制御回路
１９  吸気口
２０  吸気通路
２１  吸込口
２２  手検出センサ
２４、２４ａ、２４ｂ  エアー噴出口
２５  フィルター
８１、８２、８３、８４、８５、８６、８７、８８  手乾燥装置
【国際調査報告】
2010095251.tif 000021
2010095251.tif 000022
2010095251.tif 000023
2010095251.tif 000024
2010095251.tif 000025